(57)【特許請求の範囲】
【請求項１】
内容物の充填空間を形作る容器本体のヘッドの上部に凹溝を形作り、
この凹溝の底壁に、充填空間に通じる第１の注出孔を形成すると共に、当該凹溝の側壁にそれぞれ、ヘッドの側面に開放される横溝を形成し、
更に、当該横溝にヘッドの側面からスライド可能に嵌合する突起を有して前記凹溝に収納されるスライド部材を設け、
当該スライド部材に、第１の注出孔を通して充填空間に通じる、当該注出孔よりも小径の第２の注出孔を形成すると共に、当該第２の注出孔を閉じる蓋体を、ヒンジを介して開閉可能に連結したことを特徴とする、合成樹脂製チューブ容器。
【請求項２】
請求項１において、凹溝の底壁に、第１の注出孔を形作る内周縁を有し底壁に片持ち支持されることで、スライド部材の底面を押圧する弾性部位を設けたことを特徴とする、合成樹脂製チューブ容器。
【請求項３】
請求項１又は２において、凹溝の側壁に、容器本体側に開放される凹部を設け、当該凹部の相互間を少なくとも１つのリブで連結したことを特徴とする、合成樹脂製チューブ容器。
【請求項４】
請求項１乃至３のいずれか１項において、前記横溝は、その一端が行き止まりとなることで、スライド部材を位置決めするストッパとして機能することを特徴とする、合成樹脂製チューブ容器。
【請求項５】
請求項１乃至４のいずれか１項において、横溝及び突起に、この突起を横溝に対して取り外し可能に係止して当該横溝に対して固定する係止手段を設けたことを特徴とする、合成樹脂製チューブ容器。
【発明の詳細な説明】
【技術分野】
【０００１】
本発明は、内容物を容易に取り出すことができる、合成樹脂製チューブ容器に関するものである。
【背景技術】
【０００２】
従来のチューブ容器としては、例えば、胴部の上端に頂壁を形成し、この頂壁に注出筒を設けることで、通常は、この注出筒から内容物を注出するが、内容物の残量が僅かになると、頂壁の外周部に注出筒を取り囲むように周設した薄肉の破断線に沿って、頂壁の一部を取り除くことで、胴部内の内容物を取り出せるようにしたものがある（例えば、特許文献１参照）。
【先行技術文献】
【特許文献】
【０００３】
【特許文献１】特開２０００−３３５６０６号公報
【発明の概要】
【発明が解決しようとする課題】
【０００４】
しかしながら、従来のチューブ容器は、頂壁の一部を引きちぎって開口させなければならないため、頂壁が伸びてしまって上手く破断できない場合や破断した開口の内周縁にバリが残る等、操作性等に改善の余地がある。
【０００５】
本発明の目的とするところは、容器本体に残留した内容物を容易に取り出すことができる、新規な合成樹脂製チューブ容器を提供することにある。
【課題を解決するための手段】
【０００６】
本発明の合成樹脂製チューブ容器は、内容物の充填空間を形作る容器本体のヘッドの上部に凹溝を形作り、
この凹溝の底壁に、充填空間に通じる第１の注出孔を形成すると共に、当該凹溝の側壁にそれぞれ、ヘッドの側面に開放される横溝を形成し、
更に、当該横溝にヘッドの側面からスライド可能に嵌合する突起を有して前記凹溝に収納されるスライド部材を設け、
当該スライド部材に、第１の注出孔を通して充填空間に通じる、当該注出孔よりも小径の第２の注出口を形成すると共に、当該第２の注出孔を閉じる蓋体を、ヒンジを介して開閉可能に連結したことを特徴とするものである。
【０００７】
本発明によれば、凹溝の底壁に、第１の注出口を形作る内周縁を有し底壁に片持ち支持されることで、スライド部材の底面を押圧する弾性部位を設けることができる。
【０００８】
また、本発明によれば、凹溝の側壁に、容器本体側に開放される凹部を設けた場合、当該凹部の相互間を少なくとも１つのリブで連結することができる。
【０００９】
また、前記横溝の一端は、行き止まりとすることで、スライド部材を位置決めするストッパとして機能させることができる。
【００１０】
更に、横溝及び突起には、この突起を横溝に対して取り外し可能に係止して当該横溝に対して固定する係止手段を設けることができる。係止手段としては、例えば、互いに嵌合する２つの凸部、或いは、凸部及び凹部が挙げられる。なお、容器本体のヘッドは、容器本体と一体に設けることも、或いは、容器本体に別体として設けることもできる。
【発明の効果】
【００１１】
本発明によれば、容器本体に充填された内容物は通常、スライド部材に形成された第２の注出孔から取り出されるが、容器本体内の残量が僅かになると、蓋体を容器本体のヘッドの上部に形作られた凹溝からスライドさせるだけで、スライド部材を取り除くことができる。これにより、容器本体の内容物は、凹溝に形成した第２の注出孔よりも大径の第１の注出孔から容易に取り出すことができる。
【００１２】
従って、本発明によれば、容器本体のヘッドの上部に形作られた凹溝から蓋体をスライドさせるだけの簡単な操作で、容器本体に残留した内容物を容易に取り出すことができる、新規な合成樹脂製チューブ容器を提供することができる。
【００１３】
また、凹溝の底壁に、第１の注出孔を形作る内周縁を有し底壁に片持ち支持されることで、スライド部材の底面を押圧する弾性部位を設ければ、第１の注出孔と第２の注出孔との間をシールできるので、内容物の残量を確実に減少させることができる。
【００１４】
また、凹溝の側壁に、容器本体側に開放される凹部を設け、当該凹部の相互間を少なくとも１つのリブで連結すれば、例えば、容器本体や当該容器本体に固定されたヘッドに対する樹脂使用量の軽減を目的に、側壁に対して容器本体側に開放される凹部を設けたとき、この凹部に対して容器本体の内容物が流入しようとすると、当該凹部に設けた少なくとも１つのリブが、その流入を阻止することで、内容物の残量を確実に減少させることができる。
【００１５】
更に、横溝の一端を行き止まりとすることで、スライド部材を位置決めするストッパとして機能させれば、容器本体のヘッドの上部に形作られた凹溝に対してスライド部材を容易に組み付けることができる。
【００１６】
また。横溝及び突起に、この突起を横溝に対して取り外し可能に係止して当該横溝に対して固定する係止手段を設ければ、容器本体のヘッドの上部に形作られた凹溝に対してスライド部材を組み付けるとき、スライド部材を凹溝に対する所定の位置に、確実に固定することができる。
【図面の簡単な説明】
【００１７】
【図１】本発明の第一の形態である、合成樹脂製チューブ容器を、その容器本体を一部省略した状態で示す正面図である。
【図２】(a),(b)はそれぞれ、同形態を蓋体側から示す平面図及び、その要部を側面から示す要部側面図である。
【図３】(a),(b)はそれぞれ、図２(a)のＸ−Ｘ断面図及び、その要部を拡大図である。
【図４】同形態において、ヘッドからスライド部材を分離した状態を蓋体側から示す平面図である。
【図５】(a),(b)はそれぞれ、本発明の第二の形態である、合成樹脂製チューブ容器を、蓋体側から示す平面図及び、同形態に係る係止手段を示す、図５(a)のＹーＹ断面図である。
【発明を実施するための形態】
【００１８】
以下、図面を参照して、本発明の一形態である、合成樹脂製チューブ容器を詳細に説明する。
【００１９】
図１の符号１は、化粧料や軟膏等の薬剤に代表される、クリーム状の内容物を充填する空間（以下、「充填空間」）Ｒ（図３参照）を、その内側に形作る容器本体である。
【００２０】
容器本体１は、同図に示すように、スリーブ状の胴部１ａと、この胴部１ａの後端をシールしてなるテール部１ｂとを有する。また、容器本体１は、例えば、合成樹脂製の材料で形成されている。このため、容器本体１としては、例えば、単層あるいは積層（合成樹脂層及び金属層の少なくとも二層で構成された可撓性を有するラミネート容器等）構造の容器とする。なお、図１では、胴部１ａを一部省略して示す。
【００２１】
符号２は、容器本体１の前端に、溶着等の手段によって固定され、当該前端に形成された開口部を封止するヘッドである。このヘッド２は、図２(a)等に示すように、その上方からの平面形状が楕円形状をしてなる。
【００２２】
また、ヘッド２の上部には、図４に示すように、その短手方向に沿って切り欠かれた形状をしてなる凹溝Ｇが形作られている。凹溝Ｇには、同図に示すように、凹溝Ｇを形作る底壁２ａに、充填空間Ｒ通じる第１の注出孔（以下、「第１注出孔」）Ａ1が形成されている。
【００２３】
また、底壁２ａには、図４に示すように、この底壁２ａに対して片持ち支持されることで、変形及び復元の可能な環状の弾性部位３が一体に設けられている。弾性部位３は、同図に示すように、その内周縁３ｅが第１注出孔Ａ1を形作る。また、弾性部位３の内周縁３ｅは、図３に示すように、底壁２ａから軸線Ｏに向かうに従って、上方（凹溝Ｇの開放側方向）に向かって傾斜し、その内周縁３ｅの近傍には、押圧部３ａが設けられている。
【００２４】
これに対し、凹溝Ｇを形作る側壁２ｂの内側面２ｆにはそれぞれ、図４(a)に示すように、ヘッド２の側面に開放される横溝２ｃが形成されている。横溝（ガイド溝）２ｃは、図２等に示すように、その一端２ｅが行き止まりとなることで、後述するスライド部材４を位置決めするストッパとして機能する。また、側壁２ｂには、図３に示すように、容器本体１側に開放される凹部ｎを設け、当該凹部ｎの相互間が複数のリブｒで一体に連結されている。
【００２５】
更に、符号４は、横溝２ｃにヘッド２の側面からスライド可能に嵌合する突起（ガイド突起）４ａを有して凹溝Ｇに収納されるスライド部材である。
【００２６】
スライド部材４には、第１注出孔Ａ1を通して充填空間Ｒに通じる第２の注出孔（以下、「第２注出孔」）Ａ2が形成されている。第２注出孔Ａ2は、第１注出孔Ａ1よりも小径の貫通孔であって、注出筒４ｂの内側に形成されている。また、第２注出孔Ａ2は、図２に示すように、楕円長手軸線方向に対して偏心した位置に設けられている。但し、本発明に従えば、第２注出孔Ａ2は、任意の位置に形成することができる。
【００２７】
また、スライド部材４には、第２注出孔Ａ2を閉じる蓋体５を、ヒンジ６を介して開閉可能に一体に連結されている。また、蓋体５には、図３に示すように、第２注出孔Ａ2を嵌合する封止筒５ａが一体に垂下している。これにより、スライド部材４と蓋体５とは、ヒンジ６を介して一体に繋がる蓋体ユニットＣとしてなる。
【００２８】
従って、スライド部材４は、図４の矢印Ｄ1に示す方向に、蓋体ユニットＣとして、その突起４ａをそれぞれ、ヘッド２の側面から横溝２ｃに嵌合させることで、この横溝２ｃに沿って凹溝Ｇに収納できる。また、スライド部材４は、図４の矢印Ｄ2に示す方向に、蓋体５を介して横溝２ｃに沿ってヘッド２の側面から引き出すことで、凹溝Ｇから蓋体ユニットＣとして取り外すことができる。
【００２９】
即ち、本形態によれば、容器本体１に充填された内容物は通常、スライド部材４に形成された第２注出孔Ａ2から取り出されるが、容器本体１内の残量が僅かになると、蓋体５をヘッド２からスライドさせるだけで、スライド部材４を取り除くことができる。これにより、容器本体１の内容物は、ヘッド２に形成した第２注出孔Ａ2よりも大径の第１注出孔Ａ1から容易に取り出すことができる。
【００３０】
従って、本形態によれば、ヘッド２から蓋体５をスライドさせるだけの簡単な操作で、大径の注出孔Ａ1が開放されることから、容器本体１に残留した内容物（例えば、容器本体１の肩部（ヘッド２）近辺に残留物）は、この大径の注出孔Ａ1を通して容器本体１内に指等を入れることで容易に取り出すことができる、新規な合成樹脂製チューブ容器を提供することができる。
【００３１】
ところで、本形態では、スライド部材４の底面から第２注出孔Ａ2を取り囲むように、筒状部４ｃが一体に垂下する。筒状部４ｃの下端（以下、「筒状部下端」）４ｅは、スライド部材４を凹溝Ｇに収納するとき、環状の弾性部位３の押圧部３ａを、図３(b)の矢印で示す下向きの力Ｆ1で押し下げることで、弾性部位３を底壁２ａに対して下向きに変形させる。
【００３２】
これにより、弾性部位３は、力Ｆ1の反力として、上向きに復元するように変形しようとするため、押圧部３ａは、筒状部下端４ｅを、図３(b)の矢印で示す上向きの力Ｆ2で押し上げる。従って、第１注出孔Ａ1と第２注出孔Ａ2との間は、弾性部位３によって液密な状態にシールすることができる。
【００３３】
即ち、本形態のように、ヘッド２の底壁２ａに、第１注出孔Ａ1を形作る内周縁を有し底壁２ａに片持ち支持されることで、スライド部材４の底面４ｅを押圧する弾性部位３を設ければ、第１注出孔Ａ1と第２注出孔Ａ2との間をシールできるので、内容物の残量を確実に減少させることができる。
【００３４】
また、本形態のように、凹溝Ｇの側壁２ｂに、容器本体１側に開放される凹部ｎを設け、この凹部ｎの相互間を少なくとも１つのリブｒで連結すれば、例えば、ヘッド２に対する樹脂使用量の軽減を目的に、側壁２ｂに対して容器本体１側に開放される凹部ｎを設けたとき、この凹部ｎに対して容器本体１の内容物が流入しようとすると、当該凹部ｎに設けた少なくとも１つのリブｒが、その流入を阻止することで、内容物の残量を確実に減少させることができる。
【００３５】
更に、本形態のように、横溝２ｃの一端２ｅを行き止まりとすることで、この横溝２ｃの一端２ｅを、スライド部材４を位置決めするストッパとして機能させれば、ヘッド２に対してスライド部材４を容易に組み付けることができる。
【００３６】
ところで、本発明に従えば、その第２の形態として、図５に示すように、横溝２ｃ及び突起４ａに、この突起４ａを横溝２ｃに対して取り外し可能に係止して当該横溝に対して固定する係止手段Ｆを設けることができる。係止手段Ｆは、例えば、図５(a),(b)に示すように、突起４ａに設けた凸部４ｄと、この凸部４ｄが取り外し可能に引っ掛かる、横溝２ｃに形成された凹部２ｄとで構成する。
【００３７】
なお、係止手段Ｆは、本形態のように、前後方向に１組設けることで、位置決めするだけでなく、少なくとも１組設けることとしてもよい。また、係止手段Ｆは、突起４ａに凹部を設けることで横溝２ｃの凸部に嵌合させる構成とし、或いは、突起４ａ及び横溝２ｃにそれぞれ、凸部を設け、これらの凸部を互いに嵌合させる構成とすることも可能である。
【００３８】
上述したところは、本発明の一形態を示したに過ぎず、特許請求の範囲内において、種々の変更を加えることができる。本発明に従えば、例えば、ヘッド２は、本形態のように、容器本体１に別体として設けられるものに限らず、容器本体１と一体に設けることもできる。容器本体１は、射出成形やブロー成形されたチューブ状の容器形態にすることもできる。また、ヘッド２は、その上方からの平面形状が真円形状をしてなるものとすることができる。この場合、ヘッド２の側壁２ｂは、凹部ｎを形成することなく、中実とすることができる。更に、上述の各形態に採用された各構成はそれぞれ、互いに適宜、組み合わせることができる。
【産業上の利用可能性】
【００３９】
本発明は、上述したように、化粧料や薬剤等に限定されることなく、クリーム状の内容物であれば、様々なものを内容物として適用できる。
【符号の説明】
【００４０】
１    容器本体
１ａ  胴部
１ｂ  テール部
２    ヘッド
２ａ  底壁
２ｂ  側壁
２ｃ  横溝（ガイド溝）
２ｄ  凹部（係止手段）
２ｅ  横溝端
２ｆ  内側面
３    弾性部位
３ａ  押圧部
３ｅ  内周縁
４    スライド部材
４ａ  突起（ガイド突起）
４ｂ  注出筒
４ｃ  筒状部
４ｄ  凸部（係止手段）
４ｅ  筒状部下端
５    蓋体
５ａ  封止筒
Ａ1   第１注出孔
Ａ2   第２注出孔
Ｃ    蓋体ユニット
Ｇ    凹溝
ｎ    凹部
Ｒ    充填空間
ｒ    リブ
【図１】
0005431098.tif 000002
【図２】
0005431098.tif 000003
【図３】
0005431098.tif 000004
【図４】
0005431098.tif 000005
【図５】
0005431098.tif 000006